(57)【特許請求の範囲】
【請求項１】
取付面に取り付けられる筐体を備える本体ユニットと、
前記筐体が前記取付面に取り付けられた後に前記本体ユニットに取り付けられる光源ユニットと
を備え、
前記光源ユニットは、電源回路と光源とを含み、
前記本体ユニットは、外部電源から電力が供給される端子部と、機能部品とを含み、
前記端子部から前記電源回路へ電力が供給され、
前記電源回路は、前記光源と前記機能部品とへ給電し、
前記電源回路は、前記機能部品に直流電圧を供給する、照明装置。
【請求項２】
前記機能部品は、センサーを含む、請求項１に記載の照明装置。
【請求項３】
前記センサーは、前記光源ユニットが前記センサーの検知範囲から離れる位置に配置される、請求項２に記載の照明装置。
【請求項４】
前記センサーは、前記センサーの検知範囲が前記光源ユニットの照射範囲から離れる位置に配置される、請求項２又は請求項３に記載の照明装置。
【請求項５】
前記センサーは、人感センサー又は照度センサーの少なくとも一方を含む、請求項２から請求項４のいずれか１項に記載の照明装置。
【請求項６】
前記本体ユニットは長手形状を有し、
前記機能部品は、前記本体ユニットの長手方向における中央部に対して配置される、請求項１から請求項５のいずれか１項に記載の照明装置。
【請求項７】
前記光源は、ＬＥＤ素子を含む、請求項１から請求項６のいずれか１項に記載の照明装置。
【発明の詳細な説明】
【技術分野】
【０００１】
本発明は、照明装置に関する。
【背景技術】
【０００２】
特許文献１には、人感センサーを備えた照明装置が記載されている。詳しくは、特許文献１に記載の照明装置は、光源ユニットと、本体ユニットと、人感センサーとを備える。光源ユニットは、ＬＥＤモジュールと、電源装置とを含む。人感センサーは光源ユニットに搭載されている。電源装置には、本体ユニットから電力が供給される。電源装置は、ＬＥＤモジュールへ電力を供給する。また、電源装置は、人感センサーへ電力を供給する。本体ユニットは天井面に取り付けられ、光源ユニットは、天井面に取り付けられた後の本体ユニットに取り付けられる。
【先行技術文献】
【特許文献】
【０００３】
【特許文献１】特開２０１５−１１１５３９号公報
【発明の概要】
【発明が解決しようとする課題】
【０００４】
しかしながら、特許文献１に記載の照明装置では、光源ユニットの重さが、人感センサーが搭載されている分だけ重くなる。このため、本体ユニットへの光源ユニットの取り付け作業の負担が増加する。
【０００５】
本発明者らは、上記問題に鑑みて鋭意研究を重ねた。その結果、本発明を完成するに至った。即ち、本発明の目的は、人感センサーのような機能部品を備える構成において、光源ユニットの本体ユニットへの取り付け作業の負担増加を抑制できる照明装置を提供することにある。
【課題を解決するための手段】
【０００６】
本願に開示する照明装置は、本体ユニットと、光源ユニットとを備える。前記本体ユニットは、筐体を備える。前記筐体は、取付面に取り付けられる。前記光源ユニットは、前記筐体が前記取付面に取り付けられた後に前記本体ユニットに取り付けられる。前記光源ユニットは、電源回路と光源とを含み、前記本体ユニットは、外部電源から電力が供給される端子部と、機能部品とを含む。前記端子部から前記電源回路へ電力が供給される。前記電源回路は、前記光源と前記機能部品とへ給電する。前記電源回路は、前記機能部品に直流電圧を供給する。
【０００７】
本願に開示する照明装置において、前記機能部品は、センサーを含む。
【０００８】
本願に開示する照明装置において、前記センサーは、前記光源ユニットが前記センサーの検知範囲から離れる位置に配置される。
【０００９】
本願に開示する照明装置において、前記センサーは、前記センサーの検知範囲が前記光源ユニットの照射範囲から離れる位置に配置される。
【００１０】
本願に開示する照明装置において、前記センサーは、人感センサー又は照度センサーの少なくとも一方を含む。
【００１２】
本願に開示する照明装置において、前記本体ユニットは長手形状を有しており、前記機能部品は、前記本体ユニットの長手方向における中央部に対して配置される。
【００１４】
本願に開示する照明装置において、前記光源は、ＬＥＤ素子を含む。
【発明の効果】
【００１５】
本発明によれば、機能部品を備える照明装置において、光源ユニットの本体ユニットへの取り付け作業の負担増加を抑制することが可能となる。
【図面の簡単な説明】
【００１６】
【図１】実施形態１に係る照明装置の構成を示すブロック図である。
【図２】実施形態１に係る照明装置の平面図である。
【図３】実施形態１に係る照明装置の正面図である。
【図４】実施形態１に係る本体ユニットの断面図である。
【図５】実施形態２に係る照明装置の平面図である。
【図６】実施形態２に係る照明装置の正面図である。
【図７】実施形態２に係る本体ユニットの断面図である。
【図８】実施形態３に係る照明装置の平面図である。
【図９】実施形態３に係る照明装置の正面図である。
【図１０】実施形態３に係る本体ユニットの断面図である。
【図１１】実施形態４に係る照明装置の平面図である。
【図１２】実施形態４に係る本体ユニットの断面図である。
【図１３】実施形態５に係る照明装置の正面図である。
【図１４】実施形態６に係る照明装置の正面図である。
【発明を実施するための形態】
【００１７】
以下、図面を参照して本発明の実施形態を説明する。ただし、図中、同一又は相当部分については同一の参照符号を付して説明を繰り返さない。
【００１８】
［実施形態１］
図１は、実施形態１に係る照明装置１の構成を示すブロック図である。図１に示すように、照明装置１は、本体ユニット２と、光源ユニット３と、機能部品６とを備える。また、本実施形態において、照明装置１は、信号線４を備える。本体ユニット２は、天井等の建造物に取り付けられる。光源ユニット３は、建造物に取り付けられた後の本体ユニット２に対して取り付けられる。
【００１９】
本体ユニット２は、端子部５を含む。端子部５には、商用電源のような外部電源から電力が供給される。本実施形態では、端子部５に商用電源から交流電圧ＡＣが供給される。端子部５は、例えば端子台である。
【００２０】
機能部品６は、本体ユニット２に搭載される。本実施形態において、機能部品６は人感センサー６１を含む。人感センサー６１は、検知範囲内に人体等の検知対象が存在するか否かを示す信号を生成する。具体的には、人感センサー６１は、焦電素子を含むパッシブ型の赤外線センサーである。即ち、人感センサー６１は、検知対象から放射される赤外線を検出することにより、検知対象を検知する。
【００２１】
光源ユニット３は、電源回路７と光源８とを含む。電源回路７には、端子部５から電力が供給される。本実施形態では、端子部５から電源回路７へ交流電圧ＡＣが供給される。電源回路７は、光源８と機能部品６（人感センサー６１）とへ給電する。
【００２２】
具体的には、電源回路７は、光源８を点灯させる点灯電力を生成する。光源８は、ＬＥＤ（Ｌｉｇｈｔ  Ｅｍｉｔｔｉｎｇ  Ｄｉｏｄｅ）素子のような発光素子を含む。本実施形態では、発光素子はＬＥＤ素子である。したがって、電源回路７は、光源８へ直流電圧ＤＣ（以下、点灯電圧と記載する場合がある）を供給する。点灯電圧の電圧値は、例えば、８０Ｖ以上１００Ｖ未満であり得る。
【００２３】
また、電源回路７は、人感センサー６１を駆動させる駆動電力を生成する。本実施形態では、人感センサー６１は直流電圧によって駆動する。したがって、電源回路７は、人感センサー６１へ直流電圧ＤＣ（以下、駆動電圧と記載する場合がある）を供給する。駆動電圧の電圧値は、例えば、１２Ｖである。
【００２４】
電源回路７は、詳しくは、プリント配線基板と、プリント配線基板に実装された複数の電子部品とを含む。複数の電子部品は、点灯電圧を生成するために必要な回路部品と、駆動電圧を生成するために必要な回路部品とを含む。具体的には、トランスやダイオード、コンデンサなどの回路部品を含む。
【００２５】
また、電源回路７には、人感センサー６１によって生成された信号が信号線４を介して入力される。電源回路７は、人感センサー６１の出力に応じて、光源８の状態を点灯状態と非点灯状態との間で切り替える。具体的には、人感センサー６１の出力が、検知範囲内に検知対象が存在することを示す信号になると、電源回路７は、光源８への点灯電圧の供給を開始する。この場合、壁スイッチや引き紐等が操作されるまで、光源８は点灯し続ける。
【００２６】
なお、電源回路７は、人感センサー６１が、検知範囲内に検知対象が存在することを示す信号を生成している期間、光源８へ点灯電圧を供給してもよい。この場合、人感センサー６１が、検知範囲内に検知対象が存在しないことを示す信号を生成している期間、あるいは、人感センサー６１から信号が出力されていない期間、電源回路７は、光源８への点灯電圧の供給を停止する。
【００２７】
また、人感センサー６１は、タイマー機能を有し得る。この場合、人感センサー６１は、検知対象を検知すると、タイマー機能により、予め設定された期間の計時を開始する。また、人感センサー６１は、タイマー機能による計時が行われている間、検知範囲内に検知対象が存在することを示す信号を生成する。その結果、タイマー機能による計時が行われている間、光源８が点灯状態となる。一方、タイマー機能による計時が終了すると、人感センサー６１は、検知範囲内に検知対象が存在しないことを示す信号を生成する。又は、人感センサー６１から信号が出力されなくなる。その結果、光源８は非点灯状態となる。
【００２８】
また、電源回路７は、調光機能を有し得る。この場合、電源回路７は、人感センサー６１の出力に応じて、光源８の状態を全灯状態と調光状態との間で切り替えてもよい。光源８は、全灯状態になると、１００％の光量で点灯する。即ち、電源回路７が、光源８を１００％の光量で点灯させる電圧を生成する。一方、光源８は、調光状態になると、例えば２０％の光量で点灯する。即ち、電源回路７が、光源８を２０％の光量で点灯させる電圧を生成する。
【００２９】
図２は、実施形態１に係る照明装置１の平面図である。図２に示すように、照明装置１（本体ユニット２及び光源ユニット３）は長手形状を有する。人感センサー６１は、本体ユニット２の長手方向（長辺方向）における中央部に対して配置される。
【００３０】
図３は、実施形態１に係る照明装置１の正面図である。図３に示すように、照明装置１は、ベースライトの一種である直付け１灯型の照明装置であり、天井Ｃに取り付けられる。本体ユニット２は、２つの反射板２１、２１を備える。２つの反射板２１、２１は、図２を参照して説明した長手方向に直交する幅方向（短辺方向）において、光源ユニット３を挟んで対向する。各反射板２１、２１は、天井Ｃに向かって傾斜する傾斜面を形成しており、一方の反射板２１から人感センサー６１の一部が突出する。
【００３１】
人感センサー６１は感度部６１ａを備え、感度部６１ａは検知範囲Ａを有する。本実施形態において、人感センサー６１は、光源ユニット３が検知範囲Ａから離れる位置に配置される。換言すると、人感センサー６１は、光源ユニット３が検知範囲Ａと重ならない位置に配置される。また、人感センサー６１は、感度部６１ａが直下を向くように配置される。なお、検知範囲Ａは、例えば、感度部６１ａの中心軸Ｂから６０度の範囲である。但し、検知範囲Ａの広さは、適宜設定することができる。
【００３２】
図４は、実施形態１に係る本体ユニット２の断面図である。詳しくは、図４は、図２に示すＩＶ−ＩＶ線に沿った本体ユニット２の断面を示している。但し、理解を容易にするために、人感センサー６１を支持する構造のみを図示している。図４に示すように、本体ユニット２は、筐体２５と、支持部材２６とを備える。筐体２５は、収容部２７を形成する。収容部２７に光源ユニット３の少なくとも一部が収容される。
【００３３】
支持部材２６は、例えばアングルのような板金からなり、ネジや溶接等によって筐体２５に固定される。また、支持部材２６は、筐体２５及び反射板２１に形成された開口から人感センサー６１の少なくとも一部が突出するように、人感センサー６１を支持する。
【００３４】
また、図２〜図４に示すように、本実施形態の人感センサー６１（機能部品６）は、本体ユニット２（筐体２５）の設置範囲内に位置するように、支持部材２６によって支持される。このような構成により、照明装置１の設置面積の増加を抑制することができる。
【００３５】
以上、実施形態１について説明した。実施形態１によれば、機能部品６が本体ユニット２に設けられる。したがって、機能部品が光源ユニットに設けられる照明装置に比べて、光源ユニット３の軽量化を図ることができる。よって、光源ユニット３の本体ユニット２への取り付け作業の負担増加を抑制することが可能となる。更に、光源ユニット３の軽量化を図ることができることから、長期間の使用による光源ユニット３の下垂を抑制することも可能となる。
【００３６】
また、光源ユニットには、長さ等のサイズと、光束と、光色とを組み合わせたバリエーションが存在する。このため、光源ユニットのバリエーションは、一般的に本体ユニットのバリエーションに比べて多い。一方、光源ユニットの全てのバリエーションに機能部品を搭載した場合、機能部品を搭載しないモデルに加えて機能部品を搭載するモデルを用意することになり、光源ユニットのバリエーションの数が２倍になる。したがって、光源ユニットに機能部品を搭載した場合、光源ユニットのバリエーションが、本体ユニットのバリエーションに比べて更に多くなる。その結果、光源ユニットの在庫管理が困難になる。また、光源ユニットに機能部品を搭載した場合、本体ユニットに機能部品を搭載した場合に比べて、光源ユニットと本体ユニットとの組み合わせの数が多くなる。その結果、照明装置の組み立てが複雑化する。
【００３７】
これに対し、実施形態１によれば、機能部品６が本体ユニット２に搭載される。上記したように光源ユニットのバリエーションは一般的に本体ユニットのバリエーションよりも多い。換言すると、本体ユニットのバリエーションは、一般的に光源ユニットのバリエーションよりも少ない。よって、本体ユニットに機能部品を搭載して本体ユニットのバリエーションを２倍にした数は、光源ユニットのバリエーションを２倍にした数よりも少ない。したがって、本体ユニットに機能部品を搭載した場合における本体ユニットの在庫管理は、光源ユニットに機能部品を搭載した場合よりも容易となる。また、本体ユニットに機能部品を搭載した場合、光源ユニットに機能部品を搭載した場合に比べて、光源ユニットと本体ユニットとの組み合わせの数は少なくなる。その結果、照明装置１の組み立てが容易となる。
【００３８】
更に、実施形態１によれば、光源８を点灯させる電力と、機能部品６（人感センサー６１）を駆動させる電力とを、１つの電源回路７によって生成することができる。したがって、各電力を生成するために必要な回路部品の一部を共通化して、電源回路７の回路規模を削減することができる。
【００３９】
また、実施形態１では、人感センサー６１として、直流電圧によって駆動する人感センサー（以下、ＤＣ駆動型の人感センサーと記載する場合がある）を使用した。したがって、交流電圧によって駆動する人感センサー（以下、ＡＣ駆動型の人感センサーと記載する場合がある）を使用する場合に比べて、人感センサー６１の小型化を図ることができる。更に、人感センサー６１が小型化することにより、照明装置１の軽量化を図ることができる。具体的には、ＡＣ駆動型の人感センサーの駆動電圧には、一般的にＡＣ１００Ｖが使用され、ＤＣ駆動型の人感センサーの駆動電圧には、一般的に、ＡＣ駆動型の人感センサーの駆動電圧よりも小さい電圧（例えば、ＤＣ１２Ｖ）が使用される。よって、ＡＣ駆動型の人感センサーと比べて、ＤＣ駆動型の人感センサーを構成する部品（例えば、端子）は小さい。したがって、ＤＣ駆動型の人感センサーは、ＡＣ駆動型の人感センサーと比べて小型であるため、人感センサー６１としてＤＣ駆動型の人感センサーを使用することにより、人感センサー６１の小型化とともに、照明装置１の軽量化を図ることができる。
【００４０】
また、人感センサー６１としてＤＣ駆動型の人感センサーを使用することにより、人感センサー６１へ駆動電圧を供給するケーブルに、ＡＣ駆動型の人感センサーへ駆動電圧を供給するケーブルよりも細いケーブルを使用することができる。したがって、照明装置１の軽量化、及びコストダウンを図ることができる。
【００４１】
また、人感センサーを光源ユニットに搭載する場合、一般的には、配線の容易化のため、ＡＣ駆動型の人感センサーが使用される。即ち、ＡＣ駆動型の人感センサーを使用する場合、端子台と電源回路との間に人感センサーを接続すればよいため、配線が容易となる。その反面、人感センサーに、出力用の端子と入力用の端子とが必要になる。換言すると、ＡＣ１００Ｖ用の端子が２個必要となる。これに対し、実施形態１によれば、人感センサー６１は入力用の端子のみを備えればよい。また、入力用の端子として、ＡＣ駆動型の人感センサーが備える入力用の端子に比べて小さい端子を使用できる。よって、実施形態１によれば、ＡＣ駆動型の人感センサーを光源ユニットに搭載する場合に比べて、人感センサー６１の小型化を図ることができる。
【００４２】
また、例えば、照明装置の長手方向における端部に人感センサーを配置した場合、その端部とは反対の端部側から照明装置へ近づく人体等の検知対象は、人感センサーによって検知され難い。これに対して、実施形態１では、人感センサー６１は、本体ユニット２の長手方向における中央部に対して配置される。この配置によれば、検知対象を検知し易い方向（範囲）に偏りが生じ難くなる。
【００４３】
また、照明装置の長手方向における端部に人感センサーを配置した場合、天井Ｃのような取付面の面方向において照明装置の向きを変えると、取付面に対する人感センサーの位置が大きく変化する。例えば、照明装置の長辺と南北方向とを平行にする場合と、照明装置の長辺と東西方向とを平行にする場合とでは、人感センサーの位置が大きく異なる。したがって、人感センサーを所望の位置に配置しようとすると、照明装置の位置や向きが制約されて、自由な照明設計ができないおそれがある。これに対し、実施形態１では、人感センサー６１は、本体ユニット２の長手方向における中央部に対して配置される。この結果、取付面の面方向において照明装置１の向きを変えても、取付面に対する人感センサー６１の位置は大きく変化しない。よって、実施形態１によれば照明設計の自由度を高めることができる。
【００４４】
また、照明装置の長手方向における端部に人感センサーを配置した場合、複数の照明装置を一直線上に連結配置すると、隣接する光源ユニットの発光面間に人感センサーが配置される。その結果、光の連続性が妨げられる。これに対し、実施形態１では、人感センサー６１は、本体ユニット２の長手方向における中央部に対して配置される。よって、複数の照明装置１を一直線上に連結配置しても、複数の光源ユニット３の発光面が一直線上に並び、光の連続性を実現できる。
【００４５】
また、人感センサーの検知範囲に光源ユニットの一部が重なる位置に人感センサーが配置された場合、人感センサーに向かう赤外線の一部が光源ユニットによって遮られる。その結果、人感センサーの検知範囲が狭くなる。これに対し、実施形態１では、人感センサー６１は、光源ユニット３が検知範囲Ａと重ならない位置に配置される。したがって、人感センサーに向かう赤外線が光源ユニットによって遮られ難くなり、人感センサー６１の検知範囲Ａが狭くなることを抑制することができる。
【００４６】
また、実施形態１によれば、人感センサー６１は、感度部６１ａが直下を向くように配置される。その結果、検知範囲Ａが特定の方向に偏らないため、検知対象を検知し易い方向（範囲）に偏りが生じ難くなる。
【００４７】
なお、本実施形態では、人感センサー６１は、光源ユニット３が検知範囲Ａと重ならない位置に配置されたが、人感センサー６１は、光源ユニット３の一部が検知範囲Ａと重なる位置に配置されてもよい。例えば、検知範囲Ａを特定の範囲に限定してもよい場合に、人感センサー６１は、光源ユニット３の一部が検知範囲Ａと重なる位置に配置され得る。あるいは、光源ユニット３の一部が検知範囲Ａと重なることによって検知対象を検知し難くなった範囲を、複数の人感センサー６１を用いて補完してもよい。
【００４８】
また、本実施形態では、人感センサー６１は、本体ユニット２の設置範囲内に配置されたが、人感センサー６１は、本体ユニット２の設置範囲の外側に配置され得る。この場合、光源ユニット３から人感センサー６１を遠ざけることが可能となる。一方、人感センサー６１を光源ユニット３に近い位置に配置した場合、光源ユニット３から出射される光の一部が人感センサー６１によって遮られて、光の照射範囲に比較的暗い部分（影となる部分）が発生するおそれがある。これに対し、人感センサー６１を本体ユニット２の設置範囲の外方に配置することで、人感センサー６１によって光が遮られ難くい構成とすることが容易となる。換言すると、光の照射範囲に暗い部分が発生し難い構成とすることが容易となる。
【００４９】
また、本実施形態では、人感センサー６１がＤＣ駆動型の人感センサーであったが、人感センサー６１は、ＡＣ駆動型の人感センサーであってもよい。この場合、電源回路７は、人感センサー６１の駆動電圧として、交流電圧を生成する。
【００５０】
また、本実施形態では、機能部品６が人感センサー６１を含む場合について説明したが、機能部品６は、人感センサー６１とは異なるセンサーを含んでもよい。例えば、機能部品６は、照度センサー又は照度センサー付きの人感センサーを含み得る。
【００５１】
機能部品６が照度センサーを含む場合、照度センサーが生成する信号は、信号線４を介して電源回路７に入力される。具体的には、照度センサーは、周囲の環境の照度に応じた信号レベルを有する照度信号を生成する。電源回路７は、照度信号に基づいて光源８の点灯を制御する。詳しくは、照度信号の信号レベルが判定値未満になると、電源回路７は、光源８へ点灯電力を供給する。一方、照度信号の信号レベルが判定値以上になると、電源回路７は、光源８への点灯電力の供給を停止して、光源８を消灯させる。
【００５２】
具体的には、電源回路７は、判定回路部品を含む。判定回路部品は、例えば、オペアンプのような比較器を含み得る。判定回路部品は、照度信号の信号レベルが判定値未満であるか否かを判定する。電源回路７は、判定回路部品による判定の結果に応じて、光源８の点灯を制御する。また、電源回路７は、光源８への給電を停止させるために、タイマー機能を有してもよい。詳しくは、照度信号の信号レベルが判定値未満になると、電源回路７は、タイマー機能により、予め設定された点灯期間の計時を開始する。そして、電源回路７は、点灯期間が経過するまで、光源８へ給電する。換言すると、点灯期間の経過後は、照度信号の信号レベルが再び判定値未満になるまで、光源８は消灯する。
【００５３】
また、機能部品６が照度センサーを含む場合、チャタリングの発生を防止することを目的として、照度センサーの検知範囲を、光源ユニット３の照射範囲から可能な限り離すことが好ましい。例えば、照度センサーの配置位置を天井Ｃへ近づけることにより、照度センサーの検知範囲を、光源ユニット３の照射範囲から離すことができる。あるいは、照度センサーにエリアマスクを設けて、チャタリングの発生を防止してもよい。エリアマスクは壁状の部材であり、エリアマスクを設けることにより、光源ユニットから出射される光が照度センサーの感度部に入射し難くなる。
【００５４】
［実施形態２］
続いて図５〜図７を参照して、実施形態２について説明する。ただし、実施形態１と異なる事項を中心に説明し、実施形態１と重複する事項の説明は割愛する。実施形態２は、照明装置１がベースライトの一種であるトラフ型の照明装置である点で、実施形態１と異なる。
【００５５】
図５は、実施形態２に係る照明装置１の平面図である。図５に示すように、照明装置１は、本体ユニット２と、光源ユニット３と、機能部品６とを備える。本実施形態において、機能部品６は人感センサー６１を含む。照明装置１（本体ユニット２及び光源ユニット３）は長手形状を有し、人感センサー６１は、本体ユニット２の長手方向における中央部に対して配置される。
【００５６】
図６は、実施形態２に係る照明装置１の正面図である。図６に示すように、照明装置１は、天井Ｃに取り付けられる。本体ユニット２は、２つの側面２２、２２を有する。２つの側面２２、２２は、幅方向において光源ユニット３を挟んで対向する。人感センサー６１は、一方の側面２２の近傍に配置される。換言すると、人感センサー６１は、本体ユニット２の設置範囲の外方に配置される。
【００５７】
本実施形態において、人感センサー６１は、光源ユニット３が検知範囲Ａに重ならない位置に配置される。また、人感センサー６１は、人感センサー６１の感度部６１ａが直下を向くように配置される。
【００５８】
図７は、実施形態２に係る本体ユニット２の断面図である。詳しくは、図７は、図５に示すＶＩＩ−ＶＩＩ線に沿った本体ユニット２の断面を示している。但し、理解を容易にするために、人感センサー６１を支持する構造のみを図示している。図７に示すように、本体ユニット２は、筐体２５と、支持部材２６とを備える。支持部材２６は、例えばアングルのような板金からなり、ネジや溶接等によって筐体２５に固定される。また、支持部材２６は、筐体２５の一方の側面２２に形成された開口から突出する。人感センサー６１は、支持部材２６の筐体２５から突出した部分において支持される。
【００５９】
以上、実施形態２について説明した。実施形態２によれば、実施形態１において説明した効果と同様の効果を得ることができる。なお、機能部品６が照度センサーを含む場合、チャタリングの発生を防止することを目的として、本体ユニット２の一方の側面２２から照度センサーを遠ざけてもよい。
【００６０】
［実施形態３］
続いて図８〜図１０を参照して、実施形態３について説明する。ただし、実施形態１、２と異なる事項を中心に説明し、実施形態１、２と重複する事項の説明は割愛する。実施形態３は、照明装置１がベースライトの一種である狭幅の直付け型の照明装置である点で、実施形態１、２と異なる。
【００６１】
図８は、実施形態３に係る照明装置１の平面図である。図８に示すように、照明装置１は、本体ユニット２と、光源ユニット３と、機能部品６とを備える。本実施形態において、機能部品６は人感センサー６１を含む。照明装置１（本体ユニット２及び光源ユニット３）は長手形状を有する。人感センサー６１は、本体ユニット２の長手方向における中央部に対して配置される。
【００６２】
図９は、実施形態３に係る照明装置１の正面図である。図９に示すように、照明装置１は、天井Ｃに取り付けられる。本体ユニット２は、２つの反射板２１、２１を備える。２つの反射板２１、２１は、幅方向において光源ユニット３を挟んで対向する。各反射板２１、２１は、天井Ｃに向かって傾斜する傾斜面を形成し、一方の反射板２１から人感センサー６１の一部が突出する。
【００６３】
本実施形態において、人感センサー６１は、光源ユニット３が検知範囲Ａと重ならない位置に配置される。また、人感センサー６１は、人感センサー６１の感度部６１ａが直下を向くように配置される。
【００６４】
図１０は、実施形態３に係る本体ユニット２の断面図である。詳しくは、図１０は、図８に示すＸ−Ｘ線に沿った本体ユニット２の断面を示している。但し、理解を容易にするために、人感センサー６１を支持する構造のみを図示している。図１０に示すように、本体ユニット２は、筐体２５と、支持部材２６とを備える。支持部材２６は、例えばアングルのような板金からなり、ネジや溶接等によって筐体２５に固定される。また、支持部材２６は、筐体２５及び反射板２１に形成された開口から人感センサー６１の少なくとも一部が突出するように、人感センサー６１を支持する。また、人感センサー６１の少なくとも一部が、筐体２５の幅方向における端から突出する。
【００６５】
以上、実施形態３について説明した。実施形態３によれば、実施形態１において説明した効果と同様の効果を得ることができる。
【００６６】
［実施形態４］
続いて図１１及び図１２を参照して、実施形態４について説明する。ただし、実施形態１〜３と異なる事項を中心に説明し、実施形態１〜３と重複する事項の説明は割愛する。実施形態４は、照明装置１がベースライトの一種である埋込型の照明装置である点で、実施形態１〜３と異なる。
【００６７】
図１１は、実施形態４に係る照明装置１の平面図である。図１１に示すように、照明装置１は、本体ユニット２と、光源ユニット３と、機能部品６とを備える。本実施形態において、機能部品６は人感センサー６１を含む。照明装置１（本体ユニット２及び光源ユニット３）は長手形状を有する。人感センサー６１は、本体ユニット２の長手方向における中央部に対して配置される。
【００６８】
更に、本体ユニット２は、幅方向において対向する２つの鍔部２３、２３を備える。２つの鍔部２３、２３は、２つの反射板２１、２１の縁部にそれぞれ連接しており、長手方向に延在する。
【００６９】
図１２は、実施形態３に係る本体ユニット２の断面図である。詳しくは、図１２は、図１１に示すＸＩＩ−ＸＩＩ線に沿った本体ユニット２の断面を示している。但し、理解を容易にするために、人感センサー６１を支持する構造のみを図示している。図１２に示すように、本体ユニット２は天井Ｃに埋設される。本体ユニット２は、筐体２５と、２つの反射板２１と、２つの鍔部２３とを備える。各反射板２１、２１は、天井Ｃに向かって傾斜する傾斜面を形成する。２つの鍔部２３、２３は、２つの反射板２１、２１の縁からそれぞれ外方に突出している。
【００７０】
本実施形態において、人感センサー６１は、一方の鍔部２３に固定されて、本体ユニット２（筐体２５）の設置範囲の外方に配置される。その結果、人感センサー６１は、図１１に示す光源ユニット３が検知範囲Ａに重ならない位置に配置される。また、人感センサー６１は、人感センサー６１の感度部６１ａが直下を向くように配置される。
【００７１】
以上、実施形態４について説明した。実施形態４によれば、実施形態１において説明した効果と同様の効果を得ることができる。なお、機能部品６が照度センサーを含む場合、チャタリングの発生を防止することを目的として、本体ユニット２の一方の鍔部２３から照度センサーを遠ざけてもよい。
【００７２】
［実施形態５］
続いて図１３を参照して、実施形態５について説明する。ただし、実施形態１〜４と異なる事項を中心に説明し、実施形態１〜４と重複する事項の説明は割愛する。実施形態５は、照度センサー６２の感度部６２ａの中心軸Ｂが、光源ユニット３から出射される光の光軸Ｌに対して傾斜している点で、実施形態１〜４と異なる。
【００７３】
図１３は、実施形態５に係る照明装置１の正面図である。図１３に示すように、照明装置１は直付け１灯型の照明装置であり、本体ユニット２と、光源ユニット３と、機能部品６とを備える。本実施形態において、機能部品６は照度センサー６２を含み、本体ユニット２の一方の反射板２１から、照度センサー６２の一部が突出している。
【００７４】
照度センサー６２は感度部６２ａを備え、感度部６２ａは検知範囲Ａを有する。本実施形態では、感度部６２ａの中心軸Ｂが、光源ユニット３から出射される光の光軸Ｌに対して傾斜している。
【００７５】
以上、実施形態５について説明した。実施形態５によれば、照度センサー６２の検知範囲Ａを、光源ユニット３の照射範囲から遠ざけることができる。よって、チャタリングの発生を防止することができる。また、実施形態５によれば、実施形態１において説明した効果と同様の効果を得ることができる。但し、実施形態５では、照度センサー６２の感度部６２ａが直下を向いていないため、照度センサー６２の検知範囲が特定の範囲に限定される。
【００７６】
なお、本実施形態では、機能部品６が照度センサー６２を含む場合について説明したが、機能部品６は、照度センサー６２とは異なるセンサーを含んでもよい。例えば、機能部品６は、人感センサー又は照度センサー付きの人感センサーを含み得る。
【００７７】
［実施形態６］
続いて図１４を参照して、実施形態６について説明する。ただし、実施形態１〜５と異なる事項を中心に説明し、実施形態１〜５と重複する事項の説明は割愛する。実施形態６は、照明装置１がベースライトの一種である直付け２灯型の照明装置である点で、実施形態１〜５と異なる。
【００７８】
図１４は、実施形態６に係る照明装置１の正面図である。図１４に示すように、照明装置１は、本体ユニット２と、２つの光源ユニット３と、機能部品６とを備える。本実施形態において、機能部品６は照度センサー６２を含む。本体ユニット２は、２つの反射板２１、２１を備える。また、本体ユニット２は、２つの反射板２１、２１の間に形成される平坦面２４を有する。２つの光源ユニット３は、本体ユニット２の２つの反射板２１、２１に対してそれぞれ設けられる。
【００７９】
本実施形態において、照度センサー６２は、平坦面２４に対して設けられる。その結果、照度センサー６２の感度部６２ａの中心軸Ｂが、各光源ユニット３から出射される光の光軸Ｌに対して傾斜する。
【００８０】
以上、実施形態６について説明した。実施形態６によれば、照度センサー６２の検知範囲Ａを、光源ユニット３の照射範囲から遠ざけることができる。よって、チャタリングの発生を防止することができる。また、実施形態６によれば、実施形態１において説明した効果と同様の効果を得ることができる。
【００８１】
なお、本実施形態では、機能部品６が照度センサー６２を含む場合について説明したが、機能部品６は、照度センサー６２とは異なるセンサーを含んでもよい。例えば、機能部品６は、人感センサー又は照度センサー付きの人感センサーを含み得る。
【００８２】
以上、本発明の実施形態について図面を参照しながら説明した。なお、本発明は、上記の実施形態に限られるものではなく、その要旨を逸脱しない範囲で種々の態様において実施することが可能である。
【００８３】
例えば、本発明の実施形態では、光源ユニットが長手形状を有する形態について説明したが、光源ユニットの形状は特に限定されない。光源ユニットは、例えば、円形形状であり得る。又は、光源ユニットは、正方形のような矩形形状であり得る。
【００８４】
また、本発明の実施形態では、人感センサー６１として、焦電素子を含むパッシブ型の赤外線センサーを使用する形態について説明したが、人感センサー６１の種類は特に限定されるものではない。例えば、人感センサー６１は、イメージセンサーであり得る。あるいは、人感センサー６１は、電波又は超音波を利用したアクティブ型のセンサーであり得る。
【００８５】
また、本発明の実施形態では、発光素子がＬＥＤ素子である場合について説明したが、発光素子はＬＥＤ素子に限定されるものではない。例えば、発光素子は、有機ＥＬであり得る。
【００８６】
また、本発明の実施形態では、機能部品６がセンサーを含む形態について説明したが、機能部品６はセンサーに限定されるものではない。例えば、機能部品６は、保安灯等の補助光源を含み得る。あるいは、機能部品６は、リモートコントローラーからの赤外線パルス信号を受光する赤外線受光部を含み得る。
【００８７】
機能部品６が補助光源を含む場合、信号線４は削除される。また、電源回路７は、補助光源を点灯させる電力を生成する。補助光源の点灯と、光源８の点灯とは、例えば、壁スイッチや引き紐によって切り換えられる。補助光源は、発光素子として、例えば、ＬＥＤ素子、有機ＥＬ素子、蛍光灯、又は白熱電球を備え得る。
【００８８】
機能部品６が赤外線受光部を含む場合、電源回路７は、赤外線受光部を駆動させる電力を生成する。また、本体ユニット２は、マイクロコンピューターのような制御機器を備える。制御機器は、赤外線受光部で受光した赤外線パルス信号に応じて、照明装置１の動作を制御する。
【００８９】
また、本発明の実施形態では、機能部品６が本体ユニット２の長手方向における中央部に対して配置される形態について説明したが、機能部品６が配置される位置は特に限定されない。例えば、機能部品６は、本体ユニット２の長手方向の一方に偏った位置に配置され得る。機能部品６が人感センサー６１を含む場合、このような配置により、人感センサー６１が配置される位置に応じた特定の検知範囲（特定の検知方向）において、人体等の検知対象を検知し易くなる。例えば、本体ユニット２の長手方向における一方の端部に対して人感センサー６１を配置し得る。
【００９０】
また、本発明の実施形態では、照明装置１が機能部品６を１つ備える形態について説明したが、機能部品６の数は特に限定されない。例えば、照明装置１は、複数の人感センサー６１を備え得る。このように照明装置１が複数の人感センサー６１を備えることにより、照明装置１が人感センサー６１によって人体等の検知対象を検知する範囲を拡大することができる。
【００９１】
また、本発明の実施形態では、人感センサー６１等の機能部品６へ電源回路７から電力が供給される構成について説明したが、本発明はこれに限定されない。例えば、端子部５から機能部品６を介して電源回路７へ電力が供給されてもよい。
【００９２】
また、本発明の実施形態では、電源回路７が光源ユニット３に設けられた構成について説明したが、本発明はこれに限定されない。電源回路７は本体ユニット２に設けられてもよい。
【産業上の利用可能性】
【００９３】
本発明は、様々な照明器具への応用が可能である。
【符号の説明】
【００９４】
１      照明装置
２      本体ユニット
３      光源ユニット
６      機能部品
７      電源回路
８      光源
６１    人感センサー
６２    照度センサー
【図１】
0006761248.tif 000002
【図２】
0006761248.tif 000003
【図３】
0006761248.tif 000004
【図４】
0006761248.tif 000005
【図５】
0006761248.tif 000006
【図６】
0006761248.tif 000007
【図７】
0006761248.tif 000008
【図８】
0006761248.tif 000009
【図９】
0006761248.tif 000010
【図１０】
0006761248.tif 000011
【図１１】
0006761248.tif 000012
【図１２】
0006761248.tif 000013
【図１３】
0006761248.tif 000014
【図１４】
0006761248.tif 000015